(57)【要約】【課題】マウスに用いるコードリールを提供する。【解決手段】主にマウス本体５０において延伸するコード５２はそれぞれ大、小回転輪１０，２０上の大、小収納凹部中に巻き付き、収納される。該大、小回転輪は同軸上で回転するため、該大、小収納凹部中に巻き取られる内、外線は、大、小回転輪の径の比に応じて異なる長さ分、引き出され或いは収納される。こうして、コードは該台体内に収納、或いは該台体から引出される。また、該マウス本体は該台体と嵌合し一体を形成するため、携帯に非常に便利である。【選択図】図１
2004272868.tif 000002
【特許請求の範囲】
【請求項１】
主にマウス本体、該マウス本体から延伸する一定の長さのコード、該コードの外端のプラグを含み、
さらに、外周が大きい大回転輪と外周が小さい小回転輪とを両者の中心に位置する中心孔により単一の軸部に回転可能に設置し、
該大、小回転輪の輪面上には、それぞれコードを巻き取る大、小収納凹部を形成して該コードを該大、小収納凹部中に収納し、
該大、小収納凹部が収納するコードは内線と外線に区分され、
リールバネの底端を該軸部に連結すると共にその外端を該大回転輪側辺の内凹部の凹壁面に連結し、
台体内部には収容凹部を設けて、その前、後側辺にはそれぞれガイド孔を設置し、該大、小回転輪及び該軸部はそれぞれ該収容凹部中に設置され、該軸部は該台体の収容凹部凹壁面と一体に成型されて固定軸とされ、該内線は該ガイド孔から引き出され、該外線は該ガイド孔から引き出されるようにしてなることを特徴とするマウスに用いるコードリール。
【請求項２】
前記台体の表面側辺にはそれぞれ弧状凸片を設置し、前記マウス本体の外周縁は該弧状凸片の内側壁面上において押圧されて嵌合固定し、これにより、前記マウス本体は該台体の表面上において係合、定位されることを特徴とする請求項１記載のマウスに用いるコードリール。
【請求項３】
前記大、小回転輪間には環状凸片を設置し、該環状凸片は凹溝を具え、前記内線は該凹部を経て外線となり、該外線は前記大収納凹部中において巻き取られ、前記内、外線間は該凹溝において係合定位部を形成することを特徴とする請求項１記載のマウスに用いるコードリール。
【請求項４】
前記台体側辺に位置するガイド孔の孔底部には固定部を設置することを特徴とする請求項１記載のマウスに用いるコードリール。
【請求項５】
主にマウス本体を含み、該マウス本体は後側にガイド孔を具え、内部には収容凹部を具え、
外周が大きい大回転輪と外周が小さい小回転輪、両者の中心に位置する中心孔を具え、該中心孔は単一の軸部に可動接続し、該軸部は該マウス本体の収容凹部の槽壁面に固定、接続し、
該大、小回転輪の輪面上には、それぞれ大、小収納槽を形成し、該コードは該大、小収納槽中に収納され、該大、小回転輪が収容するコードは内線と外線に区分され、
リールバネの底端は該軸部に連結し、該外端は該大回転輪側辺の内凹槽の槽壁面に連接し、該外線はガイド孔から引出されることを特徴とするマウスに用いるコードリール。
【請求項６】
前記大、小回転輪は同等外周とすることができ、これにより同等の外周の収納槽を形成することができることを特徴とする請求項１記載のマウスに用いるコードリール。
【請求項７】
前記台体の側壁面にはＵＳＢ連接ポートを設置することを特徴とする請求項１記載のマウスに用いるコードリール。
【発明の詳細な説明】
【０００１】
【発明の属する技術分野】
本発明は一種のマウスに用いるコードリールに関する。特に一種の収納、引き出し可能なマウスのコードで、マウス本体とコードリールは相互に嵌合され一体のコードリールを形成するマウスに用いるコードリールに係る。
【０００２】
【従来の技術】
公知のコードリールの典型的な例は、日本実用新案登録第３０８６６１６号「イヤホン収納器」案である。
該構造は二個の円盤状のガイド部品を手動で操作し回転させることにより、コードを引き出す、或いはマウス内部の収容凹部に収納するものである。
しかし、該構造のコードは収容凹部においてからまる恐れがあり、収納及び引き出しへの信頼性が低い。しかも、バネ類の自動収納設計を具えないため、ガイド部品の回転は、人の手によって行う必要があり、非常に不便である。
【０００３】
【発明が解決しようとする課題】
上記公知構造の欠点を解決するため、本発明はマウスに用いるコードリールの提供を課題とする。
それは、異なる或いは同等の外周を呈する複数の回転輪を利用し、その輪面上にマウスのコードを収納することにより、マウスコードの収納及び引出しを行うことができる。
またそれは、大、小回転輪及び軸部を独立した台体中に設置することにより、マウスのコードは該台体中に収納或いは該台体中から引出され、該台体表面はマウスの嵌合機能を有するため、携帯に便利である。
さらにそれは、異なる外周を持つ二個の回転輪及び軸部はマウス本体内部に設置することができ、マウス本体中においてコードの収納、或いは引出しを行うことができる。
【０００４】
【課題を解決するための手段】
上記課題を解決するため、本発明は下記のマウスに用いるコードリールを提供する。
それは主にマウス本体、台体を含む。
該マウス本体において延伸するコードはそれぞれ大、小回転輪上の大、小収納凹部中に巻き付き、収納される。
該大、小回転輪は同等軸部において回転するため、該大、小収納凹部中に位置する内、外線は、異なる長さ分、引き出され或いは収納される。こうして、コードは該台体内に収納、或いは該台体から引出される。また、該マウス本体は該台体と嵌合し一体を形成するため、携帯に非常に便利である。
【０００５】
【発明の実施の形態】
図１、３が示すように、本発明はマウス本体５０、該マウス本体５０から延伸する一定の長さのコード５２、該コード５２の外端のプラグ５５を含む。さらに、本発明は外周が大きい大回転輪１０と外周が小さい小回転輪２０、両者の中心に位置する中心孔１２を具え、該中心孔１２は単一の軸部３０に回転可能に嵌合する。
該大、小回転輪１０、２０の輪面上には、それぞれ大、小収納凹部１５、２５を形成し、該コード５２は該大、小収納凹部１５、２５中に収納される。
該大、小収納凹部１５、２５が収納するコード５２は内線５２１と外線５２２に区分される。
リールバネ８０の底端８１は該軸部３０に連結し、該外端８２は該大回転輪１０側辺の内凹部１１の凹壁面に連結する。
台体４０内部には収容凹部４２を設置し、前、後側辺にはガイド孔４３、４４を設置する。該大、小回転輪１０、２０及び該軸部３０はそれぞれ該収容凹部４２中に設置され、該軸部３０は該台体４０の収容凹部４２槽壁面と一体に成型される。こうして、固定軸を形成し、該内線５２１は該ガイド孔４４から引き出され、該外線５２２は該ガイド孔４３から引き出される。
【０００６】
該台体４０表面４０１側辺にはそれぞれ弧状凸片４５を設置し、該マウス本体５０の外周縁５１は該弧状凸片４５の内側壁面に押圧されて嵌合固定する。これにより、該マウス本体５０は該台体４０の表面４０１上において係合、定位される。
該大、小回転輪１０、２０間には環状凸片１３を設置し、該環状凸片１３は凹溝１３１を具える。該内線５２１は該凹溝１３１を経由して外線５２２となる。該外線５２２は該大収納凹部１５中において巻き取られ、該内、外線５２１、５２２間は該凹溝１３１において係合定位部を形成する。
該台体４０側辺に位置するガイド孔４４の孔底部には固定部４３１を設置する。
【０００７】
次に図８、９が示すように、該マウス本体５０は後側にガイド孔５６を具え、内部には収容凹部４２を具える。しかも、外周が大きい大回転輪１０と外周が小さい小回転輪２０、両者の中心に位置する中心孔１２を具え、該中心孔１２は単一の軸部３０に可動接続する。該軸部３０は該マウス本体５０の収容凹部４２凹壁面に固定、接続する。
該大、小回転輪１０、２０の輪面上には、それぞれ大、小収納凹部１５、２５を形成し、該コード５２は該大、小収納凹部１５、２５中に収納される。該大、小回転輪１０、２０が収容するコード５２は内線５２１と外線５２２に区分される。
該リールバネ８０の底端８１（図示なし）は該軸部３０に連結し、該外端８２（図示なし）は該大回転輪１０側辺の内凹部１１の凹壁面に連接する。
該内線５２１の導電エンド５７は回路板５４に連接し、該外線５２２の外端は
プラグ５５に連接する。
続いて図７が示すように、該大、小回転輪１０、２０は同等の外周に設置され、同等の外周の収納凹部１５’、  ２５’を形成する。
さらに図４が示すように、該台体４０の側壁面にはＵＳＢ連接ポート４９を設置する。
【０００８】
本発明の実施時には、図５、６が示すように、該大、小回転輪１０、２０は同等の該軸部３０上に可動接続される。これにより、該大回転輪１０が一回転する時、該大収納凹部１５中から引き出される（或いは収納される）該外線５２２の長さはπ×Ｄ（Ｄは大回転輪の直径）となる。同様に、該小回転輪２０が一回転する時、該小収納凹部２５中から引き出される（或いは収納される）該内線５２１の長さはπ×ｄ（ｄは小回転輪の直径）である。このため、該大、小回転輪１０、２０は同軸で回転する時、両者の巻き取る（或いは引き出す）コードの長さは、該大、小回転輪１０、２０の直径の比（即ちＤ：ｄ）に比例する。
本発明の理想的な実施例では該大、小回転輪１０、２０の直径の比率は６：１である。該マウス本体５０が使用者により引っ張られ、該外線５２２が外へと引き出されたなら、該プラグ５５を具えた該内線５２１も外へと引き出され、該外線５２２は５０ｃｍ引っ張られ、該マウス本体５０は使用可能となる。
また、該内線５２１が該小収納凹部２５外に引き出され、該ガイド孔４４から８．３ｃｍ外に出ると、該内線５２１外端に接続するプラグ５５は該電器製品９０の電源連接ポート（図１０、１１参照）に挿入接続される。これにより、該マウス本体５０が引っ張られ移動しても、該プラグ５５と該台体４０間の移動距離が大きくなり過ぎる恐れはない。
コードの収納時には、該大、小回転輪１０、２０は該リールバネ８０の収縮作用を受け、該内、外線５２１、５２２は該大、小収納凹部１５、２５中に回収される。この時、該プラグ５５の後側は該固定部４３１において支え固定され、これにより該プラグ５５は該台体４０中に定位される。
【０００９】
図２、３が示すように、該弧状凸片４５の内側辺には傾斜した棒状突起４５１を設置する。これにより、該マウス本体５０は上から下へと、該表面４０１上において嵌接される。外周辺５１は該棒状突起４５１において押圧固定し、これにより該弧状凸片４５は外に向かって弾力的に変形し、該マウス本体５０は効果的に該表面４０１上において固定される。こうして該マウス本体５０は該台体４０と一体に結合し、収納、携帯に便利である。
使用時には、該マウス本体５０を該台体４０において下から上へと抜き出せば、該棒状突起４５１の力を離脱し、該弧状凸片４５は弾力によりもとの位置を回復する。
【００１０】
図８が示すように、本発明の別種の実施例では、該大、小回転輪１０、２０は該マウス本体５０の内部収容凹部４２中に設置される。この実施例では、独立した台体４０を排除することができる。外線５２２が外に引き出されると、該大、小回転輪１０、２０は該軸部３０の回転により同軸回転を行う。この時、該大、小回転輪１０、２０の二外周（即ち直径）の比率は大きくすることができ（１０：１）、比率が大きければ大きいほど、内線５２１の引き出される長さは長くなる。これにより、該内線５２１の導電端５７は連接ポートとなり、固定される。該内線５２１は該小収納槽２５中において引き出されるとき、緩んだ状態で、該収容凹部４２中において絡まったりすることはない（図９参照）。
【００１１】
図５が示すように、使用環境により変化する必要に応じて、該大、小回転輪１０、２０は同等外周（１：１）を選択することができる。これにより、内、外線５２１、５２２は引出される時、両者の長さは同等となる。
図１０は該台体４０の内線５２１が該電器製品９０の電源コンセントに連接する状態を示す。図１１は該マウス本体５０が引出されたとき、該外線５２２が該台体４０から比較的長い距離引出され、該内線５２１は極めて短い距離引出されている様子を示す。
さらに、図４が示すように、本発明は必要に応じて該台体４０の側辺に少なくとも一個以上のＵＳＢ連接ポートを設置し、ＵＳＢ端子４９１を挿入、接続し使用する。
【００１２】
【発明の効果】
上記のように、本発明は異なる或いは同等の外周を呈する複数の回転輪を利用し、その輪面上にマウスのコードを収納することにより、マウスコードの収納及び引出しを行うことができる。また、大、小回転輪及び軸部を独立した台体中に設置することにより、マウスのコードは該台体中に収納或いは該台体中から引出される。さらに、該台体表面はマウスの嵌合機能を有するため、マウスと台体は一体に固定され、携帯に便利である。また本発明は異なる外周を持つ二個の回転輪及び軸部をマウス本体内部に設置することもできるため、マウス本体中においてコードの収納、或いは引出しを行うことができる。
【図面の簡単な説明】
【図１】本発明の立体分解図である。
【図２】本発明マウス本体と台体結合の立体分解図である。
【図３】本発明台体弧状凸片の立体拡大図である。
【図４】ＵＳＢ接続ポートを設置する本発明台体の立体図である。
【図５】本発明台体の断面図である。
【図６】本発明大、小回転輪が同軸で回転する様子を示す側面作動指示図である。
【図７】本発明台体内部の大、小回転輪が同等外周に設計されていることを示す断面図である。
【図８】本発明の大、小回転輪がマウス本体内部において設置される様子を示す断面図である。
【図９】図８中の内、外線が引き出される状態を示す断面作動図である。
【図１０】本発明が電器製品に実施される様子を示す平面指示図である。
【図１１】本発明が電器製品に実施される様子を示す平面作動指示図である。
【符号の説明】
１０  大回転輪
１１  内凹部
１２  中心孔
１３  環状凸片
１３１  凹溝
１５  大収納凹部
１５’      収納凹部
２５’      収納凹部
２０  小回転輪
２５  小収納凹部
３０  軸部
４０  台体
４０１  表面
４２  収容凹部
４３  ガイド孔
４４  ガイド孔
５６  ガイド孔
４３１  固定部
４５  弧状凸片
４５１  棒状突起
４９  接続ポート
４９１  ＵＳＢ端子
５０  マウス本体
５１  外周辺
５２  電線
５２１  内線
５２２  外線
５４  回路板
５５  プラグ
５７  導電エンド
５８  プラグ
８０  リールバネ
８１  底端
８２  外端
９０  電器製品
【図１】
2004272868.tif 000003
【図２】
2004272868.tif 000004
【図３】
2004272868.tif 000005
【図４】
2004272868.tif 000006
【図５】
2004272868.tif 000007
【図６】
2004272868.tif 000008
【図７】
2004272868.tif 000009
【図８】
2004272868.tif 000010
【図９】
2004272868.tif 000011
【図１０】
2004272868.tif 000012
【図１１】
2004272868.tif 000013